(57)【要約】【目的】  本発明の目的はシールドケースの製造コストを低減することである。【構成】  シールドケース１００は、内側板１１０ａ、１２０ａ、外側板１１０ｂ、１２０ｂ、折り返し板１００ｃ、外天板１４０ｂ、内天板１４０ａ、内底板１３０ａ及び外底板１３０ｂを備える。外側板１１０ｂ、１２０ｂが内側板１１０ａ、１２０ａの外面に当接する。折り返し板１００ｃは内側板１１０ａの後端と外側板１１０ｂの後端とに連接される。外天板１４０ｂは外側板１１０ｂ、１２０ｂの上端に連接された外板１４１ｂ、１４２ｂが繋ぎ合わされる。内天板１４０ａは内側板１１０ａ、１２０ａの上端に連接され、外天板１４０ｂに当接する。内底板１３０ａは内側板１１０ａ、１２０ａの下端に連接された第内板１３１ａ、１３２ａが繋ぎ合わされる。外底板１３０ｂは外側板１１０ｂ、１２０ｂの下端に連接され、内底板１３０ａに当接する。【選択図】      図１Ａ
2015088350.tif 000002
【特許請求の範囲】
【請求項１】
間隔をあけて対向配置された第１、第２内側板と、
第１外側板と、
前記第１内側板の前端と前記第１外側板の前端とに連接又は前記第１内側板の後端と前記第１外側板の後端とに連接されており、且つ前記第１外側板が前記第１内側板の外側に配置されるように折り返された折り返し板と、
前記第２内側板の外側に配置された第２外側板と、
前記第１外側板の上端に連接された第１外板、前記第２外側板の上端に連接された第２外板、および当該第１、第２外板が繋ぎ合わされた継ぎ目部を有する外天板と、
前記外天板よりも下側で前記第１、第２内側板の上端に連接されており且つ少なくとも前記外天板の前記継ぎ目部に当接した内天板と、
前記第１内側板の下端に連接された第１内板、前記第２内側板の下端に連接された第２内板、および当該第１、第２内板が繋ぎ合わされた継ぎ目部を有する内底板と、
前記内底板よりも下側で前記第１、第２外側板の下端に連接されており且つ少なくとも前記内底板の前記継ぎ目部に当接した外底板とを備えているシールドケース。
【請求項２】
請求項１記載のシールドケースにおいて、
前記内天板が、前記外天板の前記第１、第２外板および前記継ぎ目部に当接しており、
前記外底板が、前記内底板の前記第１、第２内板および前記継ぎ目部に当接しているシールドケース。
【請求項３】
間隔をあけて対向配置された第１、第２内側板と、
第１外側板と、
前記第１内側板の前端と前記第１外側板の前端とに連接又は前記第１内側板の後端と前記第１外側板の後端とに連接されており、且つ前記第１外側板が前記第１内側板の外側に配置された折り返された折り返し板と、
前記第２内側板の外側に配置された第２外側板と、
前記第１内側板の上端に連接された第１内板、前記第２内側板の上端に連接された第２内板、および当該第１、第２内板が繋ぎ合わされた継ぎ目部を有する内天板と、
前記内天板よりも上側で前記第１、第２外側板の上端に連接されており且つ少なくとも前記内天板の前記継ぎ目部に当接した外天板と、
前記第１外側板の下端に連接された第１外板、前記第２外側板の下端に連接された第２外板、および当該第１、第２外板が繋ぎ合わされた継ぎ目部を有する外底板と、
前記外底板よりも上側で前記第１、第２内側板の下端に連接されており且つ少なくとも前記外底板の前記継ぎ目部に当接した内底板とを備えているシールドケース。
【請求項４】
請求項３記載のシールドケースにおいて、
前記外天板が、前記内天板の前記第１、第２内板及び前記継ぎ目部に当接しており、
前記内底板が、前記外底板の前記第１、第２外板及び前記継ぎ目部に当接しているシールドケース。
【請求項５】
請求項１〜４の何れかに記載のシールドケースにおいて、
前記第１外側板は、前記第１内側板の外面に少なくとも部分的に当接しており、
前記第２外側板は、前記第２内側板の外面に少なくとも部分的に当接しているシールドケース。
【請求項６】
請求項１〜５の何れかに記載のシールドケースにおいて、
第１内側板の前記折り返し板の両側部分には、一対のスリットが設けられているシールドケース。
【請求項７】
請求項１〜６の何れかに記載のシールドケースにおいて、
第１外側板の前記折り返し板の両側部分には、一対のスリットが設けられているシールドケース。
【請求項８】
請求項１〜７の何れかに記載のシールドケースと、
前記シールドケース内に収容された絶縁性を有するボディと、
前記ボディに保持された端子とを備えたコネクタ。
【発明の詳細な説明】
【技術分野】
【０００１】
本発明は、シールドケースおよびこれを備えたコネクタに関する。
【背景技術】
【０００２】
下記特許文献１には、外筒と、この外筒内に嵌合した内筒とを有するシールドケースが記載されている。外筒および内筒は一枚の金属板が角筒状に折り曲げられた構成となっている。外筒および内筒は、天板と、底板とを各々有している。外筒の天板に、前記金属板の長さ方向の第１、第２端を繋ぎ合わせた継ぎ目が設けられている。内筒の底板に、前記金属板の長さ方向の第１、第２端を繋ぎ合わせた継ぎ目が設けられている。内筒の天板が外筒の天板に当接し、外筒の底板が内筒の底板に当接しているので、シールドケースのこじり強度が向上している。
【先行技術文献】
【特許文献】
【０００３】
【特許文献１】台湾実用新案登録第Ｍ２４５６０６号公報
【発明の概要】
【発明が解決しようとする課題】
【０００４】
上記シールドケースは、外筒と内筒とが別体であるため、内筒を外筒内に嵌合させなければならない。この作業が面倒であるため、上記シールドケースの製造コストが増加していた。
【０００５】
本発明は、上記事情に鑑みて創案されたものであって、その目的とするところは、製造コストの低減を図ることができるシールドケースおよびこれを備えたコネクタを提供することにある。
【課題を解決するための手段】
【０００６】
上記課題を解決するために、本発明の第１シールドケースは、第１内側板と、第２内側板と、第１外側板と、折り返し板と、第２外側板と、外天板と、内天板と、内底板と、外底板とを備えている。前記第１、第２内側板は間隔をあけて対向配置されている。前記折り返し板は、前記第１内側板の前端と前記第１外側板の前端とに連接又は前記第１内側板の後端と前記第１外側板の後端とに連接されている。前記折り返し板は、前記第１外側板が前記第１内側板の外側に位置するように折り返されている。前記第２外側板は、前記第２内側板の外側に配置されている。前記外天板は、前記第１外側板の上端に連接された第１外板と、前記第２外側板の上端に連接された第２外板と、当該第１、第２外板が繋ぎ合わされた継ぎ目部とを有している。前記内天板は、前記外天板よりも下側で前記第１、第２内側板の上端に連接されており且つ少なくとも前記外天板の前記継ぎ目部に当接している。前記内底板は、前記第１内側板の下端に連接された第１内板と、前記第２内側板の下端に連接された第２内板と、当該第１、第２内板が繋ぎ合わされた継ぎ目部とを有している。前記外底板は、前記内底板よりも下側で前記第１、第２外側板の下端に連接されており且つ少なくとも前記内底板の前記継ぎ目部に当接している。
【０００７】
このような態様の第１シールドケースは以下の技術的特徴を有する。第１に、第１シールドケースの製造コストの低減を図ることができる。その理由は以下の通りである。折り返し板が第１内側板の前端と第１外側板の前端とに連接又は第１内側板の後端と第１外側板の後端とに連接されている。外天板の第１外板が第１外側板の上端に連接され、当該外天板の第２外板が第２外側板の上端に連接されている。内天板が第１、第２内側板の上端に連接されている。内底板の第１内板が第１内側板の下端に連接され、当該内底板の第２内板が第２内側板の下端に連接されている。外底板が第１、第２外側板の下端に連接されている。このため、第１シールドケースは、一枚の導電板をプレス成形することによって製造することができるからである。第２に、第１シールドケースのこじり強度を向上させることができる。その理由は以下の通りである。折り返し板が第１内側板と第１外側板とに連接されている。第１、第２内側板の上端に内天板が連接され、第１、第２内側板の下端に継ぎ目部を有する内底板が連接されている。一方、第１、第２外側板の上端に継ぎ目部を有する外天板が連接され、第１、第２外側板の下端に外底板が連接されている。このため、シールドケースが一枚の金属板で構成されている場合であっても、外天板の継ぎ目部に内天板を当接させることができ、内底板の継ぎ目部に外底板を当接させることができるからである。
【０００８】
前記内天板が前記外天板の前記第１、第２外板及び前記継ぎ目部に当接した構成とすることが可能である。前記外底板が、前記内底板の前記第１、第２内板及び前記継ぎ目部に当接した構成とすることが可能である。
【０００９】
このような態様の第１シールドケースによる場合、第１シールドケースのこじり強度をさらに向上させることができる。
【００１０】
本発明の第２シールドケースは、第１内側板と、第２内側板と、第１外側板と、折り返し板と、第２外側板と、内天板と、外天板と、外底板と、内底板とを備えている。前記第１、第２内側板は間隔をあけて対向配置されている。前記折り返し板は、前記第１内側板の前端と前記第１外側板の前端とに連接又は前記第１内側板の後端と前記第１外側板の後端とに連接されている。前記折り返し板は、前記第１外側板が前記第１内側板の外側に位置するように折り返されている。前記第２外側板は、前記第２内側板の外側に配置されている。前記内天板は、前記第１内側板の上端に連接された第１内板と、前記第２内側板の上端に連接された第２内板と、当該第１、第２内板が繋ぎ合わされた継ぎ目部とを有している。前記外天板は、前記内天板よりも上側で前記第１、第２外側板の上端に連接されており且つ少なくとも前記内天板の前記継ぎ目部に当接している。前記外底板は、前記第１外側板の下端に連接された第１外板と、前記第２外側板の下端に連接された第２外板と、当該第１、第２外板が繋ぎ合わされた継ぎ目部とを有している。前記内底板は、前記外底板よりも上側で前記第１、第２内側板の下端に連接されており且つ少なくとも前記外底板の前記継ぎ目部に当接している。
【００１１】
このような態様の第２シールドケースは以下の技術的特徴を有する。第１に、第２シールドケースの製造コストの低減を図ることができる。その理由は以下の通りである。折り返し板が第１内側板の前端と第１外側板の前端とに連接又は第１内側板の後端と第１外側板の後端とに連接されている。内天板の第１内板が第１内側板の上端に連接され、当該内天板の第２内板が第２内側板の上端に連接されている。外天板が第１、第２外側板の上端に連接されている。外底板の第１外板が第１外側板の下端に連接され、当該外底板の第２外板が第２外側板の下端に連接されている。内底板が第１、第２内側板の下端に連接されている。このため、第２シールドケースは、一枚の導電板をプレス成形することによって製造することができるからである。第２に、第２シールドケースのこじり強度を向上させることができる。その理由は以下の通りである。第１、第２内側板の上端に継ぎ目部を有する内天板が連接され、第１、第２内側板の下端に内底板が連接されている。一方、第１、第２外側板の上端に外天板が連接され、第１、第２外側板の下端に継ぎ目部を有する外底板が連接されている。このため、シールドケースが一枚の金属板で構成されている場合であっても、内天板の継ぎ目部に外天板を当接させることができ、外底板の継ぎ目部に内底板を当接させることができるからである。
【００１２】
前記外天板が前記内天板の前記第１、第２内板及び前記継ぎ目部に当接した構成とすることが可能である。前記内底板が、前記外底板の前記第１、第２外板及び前記継ぎ目部に当接した構成とすることが可能である。
【００１３】
このような態様の第２シールドケースによる場合、第２シールドケースのこじり強度をさらに向上させることができる。
【００１４】
前記第１外側板は、前記第１内側板の外面に少なくとも部分的に当接した構成とすることが可能である。前記第２外側板は、前記第２内側板の外面に少なくとも部分的に当接した構成とすることが可能である。
【００１５】
このような態様の第１、第２シールドケースによる場合、第１、第２シールドケースのこじり強度をさらに向上させることができる。
【００１６】
前記第１内側板の前記折り返し板の両側部分には、一対のスリットが設けられた構成とすることが可能である。このような態様の第１、第２シールドケースによる場合、折り返し板が前記第１内側板および前記第１外側板から突出する突出量を低減することができる。その理由は以下の通りである。第１内側板の折り返し板の両側部分にスリットが設けられていない場合、折り返し板の第１内側板側の曲げ始め部が当該第１内側板の前端よりも前方又は後端よりも後方にしなければならない。このため、折り返し板の突出量が、曲げ始め部から第１内側板の前端又は後端までの距離の分大きくなる。これに対して、第１内側板の折り返し板の両側部分にスリットが設けられている場合、折り返し板の第１内側板側の曲げ始め部を当該第１内側板の前端又は後端と同じにすることができる。よって、前記距離の分、折り返し板の突出量を低減することができる。
【００１７】
前記第１外側板の前記折り返し板の両側部分には、一対のスリットが設けられた構成とすることが可能である。このような態様の第１、第２シールドケースによる場合、折り返し板が前記第１内側板および前記第１外側板から突出する突出量を低減することができる。その理由は以下の通りである。第１外側板の折り返し板の両側部分にスリットが設けられていない場合、折り返し板の第１外側板側の曲げ始め部が当該第１外側板の前端よりも前方又は後端よりも後方にしなければならない。このため、折り返し板の突出量が、曲げ始め部から第１外側板の前端又は後端までの距離の分大きくなる。これに対して、第１外側板の折り返し板の両側部分にスリットが設けられている場合、折り返し板の第１外側板側の曲げ始め部を当該第１外側板の前端又は後端と同じにすることができる。よって、前記距離の分、折り返し板の突出量を低減することができる。
【００１８】
本発明のコネクタは、上述した何れかの態様の第１又は第２シールドケースと、前記シールドケース内に収容された絶縁性を有するボディと、前記ボディに保持された端子とを備えている。
【図面の簡単な説明】
【００１９】
【図１Ａ】本発明の実施例１に係るシールドケースの正面、平面および右側面を表した斜視図である。
【図１Ｂ】前記シールドケースの背面、平面および左側面を表した斜視図である。
【図２Ａ】前記シールドケースの図１Ａ中の２Ａ−２Ａ断面図である。
【図２Ｂ】前記シールドケースの図１Ａ中の２Ｂ−２Ｂ断面図である。
【図３】前記シールドケースの展開図である。
【図４Ａ】本発明の実施例１に係るコネクタの正面、平面および右側面を表した斜視図である。
【図４Ｂ】前記コネクタの背面、平面および左側面を表した分解斜視図である。
【図５】前記シールドケースの設計変更を示す概略的断面図である。
【発明を実施するための形態】
【００２０】
以下、本発明の実施例１に係るシールドケース１００について図１Ａ〜図３を参照しつつ説明する。シールドケース１００は、図３に示すように一枚の金属板（導電板）で構成されている。シールドケース１００は、内筒１００ａと、外筒１００ｂと、折り返し板１００ｃとを備えている。以下、シールドケース１００の各構成要素について詳しく説明する。なお、図１Ａおよび図１Ｂ中のＸ−Ｘ’方向は、シールドケース１００の幅方向である。Ｘ方向はＸ−Ｘ’方向の一方側、Ｘ’方向はＸ−Ｘ’方向の他方側である。図１Ａおよび図１Ｂ中のＺ−Ｚ’方向は、シールドケース１００の高さ方向である。Ｚ方向はＺ−Ｚ’方向の一方側、Ｚ’方向はＺ−Ｚ’方向の他方側である。図１Ａおよび図１Ｂ中のＹ−Ｙ’方向はシールドケース１００の前後方向である。Ｙ方向はＹ−Ｙ’方向の一方側、Ｙ’方向はＹ−Ｙ’方向の他方側である。Ｚ−Ｚ’方向はＸ−Ｘ’方向に直交し、Ｙ−Ｙ’方向はＺ−Ｚ’方向およびＸ−Ｘ’方向に直交している。図３中の二点鎖線は、シールドケース１００の各板の曲げ始め部を示している。
【００２１】
内筒１００ａは、図１Ａおよび図１Ｂに示すように、導電性を有する角筒である。内筒１００ａの外形は外筒１００ｂの内形とほぼ同じ又は若干小さい。内筒１００ａが外筒１００ｂ内に嵌合している。内筒１００ａは、第１内側板１１０ａと、第２内側板１２０ａと、内底板１３０ａと、内天板１４０ａとを有している。
【００２２】
第１、第２内側板１１０ａ、１２０ａは図３に最も良く示されるように矩形状の金属板である。第１、第２内側板１１０ａ、１２０ａはＸ−Ｘ’方向に間隔をあけて対向配置されている（図２Ａ参照）。第１内側板１１０ａは、略矩形状の開口１１１ａと、係合片１１２ａと、一対のスリット１１３ａと、上端と、下端と、前端と、後端と、外面と、内面とを有している。開口１１１ａは第１内側板１１０ａの中央部に設けられている。係合片１１２ａは、第１内側板１１０ａの開口１１１ａのＹ方向側の縁からＸ’方向側に傾斜しつつＹ’方向に延びた金属板である。係合片１１２ａは、Ｘ方向側に弾性変形可能である。スリット１１３ａは、第１内側板１１０ａの折り返し板１００ｃのＺ−Ｚ’方向の両側部分に設けられている。スリット１１３ａは、Ｙ方向に延びている。
【００２３】
第２内側板１２０ａは、略矩形状の開口１２１ａと、係合片１２２ａと、上端と、下端と、前端と、後端と、外面と、内面とを有している。開口１２１ａは第２内側板１２０ａの中央部に設けられている。係合片１２２ａは、第２内側板１２０ａの開口１２１ａのＹ方向側の縁からＸ方向側に傾斜しつつＹ’方向に延びた金属板である。係合片１２２ａは、Ｘ’方向側に弾性変形可能である。
【００２４】
内天板１４０ａは、図１Ａ、図１Ｂおよび図２Ｂに示すように矩形状の金属板であって、外筒１００ｂの後述する外天板１４０ｂよりも下側で第１、第２内側板１１０ａ、１２０ａの上端に連接されている。すなわち、内天板１４０ａが第１、第２内側板１１０ａ、１２０ａの上端を連結している。内天板１４０ａは、外天板１４０ｂ（第１、第２外板１４１ｂ、１４２ｂおよび継ぎ目部１４３ｂ）の内面の略全領域に当接している。内天板１４０ａは、一対の略矩形状の開口１４１ａと、一対の係合片１４２ａとを有している。開口１４１ａは内天板１４０ａにＸ−Ｘ’方向に間隔をあけて設けられている。係合片１４２ａは、内天板１４０ａの開口１４１ａのＹ’方向側の縁からＺ’方向側に傾斜しつつＹ方向に延びた金属板である。係合片１４２ａは、Ｚ方向側に弾性変形可能である。
【００２５】
内底板１３０ａは、図３に最も良く示されるように、第１、第２内板１３１ａ、１３２ａと、継ぎ目部１３３ａと、一対の略矩形状の開口１３４ａと、一対の係合片１４２ａとを有している。第１内板１３１ａは、第１内側板１１０ａの下端に連接された金属板であって、第１内側板１１０ａに対して略直角に折り曲げられている。第１内板１３１ａは、Ｘ’方向側（内側）の端部１３１ａ１を有している。第２内板１３２ａは、第２内側板１２０ａの下端に連接された金属板であって、第２内側板１２０ａに対して略直角に折り曲げられている。第２内板１３２ａは、Ｘ方向側（内側）の端部１３２ａ１を有している。第１、第２内板１３１ａ、１３２ａの端部１３１ａ１、１３２ａ１は、互いに相補形状をなしており且つ繋ぎ合わせている。この繋ぎ合わされた端部１３１ａ１、１３２ａ１が、図１Ａおよび図１Ｂに示すように、継ぎ目部１３３ａとなっている。開口１３４ａは、第１、第２内板１３１ａ、１３２ａに設けられている。係合片１３５ａは、第１、第２内板１３１ａ、１３２ａの開口１３４ａのＹ’方向側の縁からＺ方向側に傾斜しつつＹ方向に延びた金属板である。係合片１３５ａは、Ｚ’方向側に弾性変形可能である。
【００２６】
外筒１００ｂは、図１Ａおよび図１Ｂに示すように、導電性を有する角筒である。外筒１００ｂは、第１外側板１１０ｂと、第２外側板１２０ｂと、外底板１３０ｂと、外天板１４０ｂとを有している。
【００２７】
第１外側板１１０ｂは、図３に最も良く示されるように矩形状の金属板である。第１外側板１１０ｂのＺ−Ｚ’方向の寸法は、第１内側板１１０ａのＺ−Ｚ’方向の寸法よりも内底板１３０ａおよび内天板１４０ａのＺ−Ｚ’方向の寸法分（厚み寸法分）大きい。第１外側板１１０ｂは、一対のスリット１１１ｂと、上端と、下端と、前端と、後端と、外面と、内面とを有している。第１外側板１１０ｂの内面が第１内側板１１０ａの外面に当接している（図２Ａ参照）。第１外側板１１０ｂが第１内側板１１０ａの開口１１１ａを閉塞している。スリット１１１ｂは、第１外側板１１０ｂの折り返し板１００ｃのＺ−Ｚ’方向の両側部分に設けられている。スリット１１１ｂはＹ方向に延びている。
【００２８】
折り返し板１００ｃは、図１Ｂ、図２Ａおよび図３に示すように、平面視略Ｕ字状の金属板である。折り返し板１００ｃは、第１、第２端を有している。折り返し板１００ｃの第１端が内筒１００ａの第１内側板１１０ａの後端に連接されている。折り返し板１００ｃの第２端が外筒１００ｂの第１外側板１１０ｂの後端に連接されている。折り返し板１００ｃは、第１外側板１１０ｂが第１内側板１１０ａの外面に当接するように、折り返されている。
【００２９】
第２外側板１２０ｂは、図３に最も良く示されるように矩形状の金属板である。第２外側板１２０ｂのＺ−Ｚ’方向の寸法は、第１外側板１１０ｂのＺ−Ｚ’方向の寸法と同じである。第２外側板１２０ｂは、上端と、下端と、前端と、後端と、外面と、内面とを有している。第２外側板１２０ｂの内面が第２内側板１２０ａの外面に当接している（図２Ａ参照）。第２外側板１２０ｂが第２内側板１２０ａの開口１２１ａを閉塞している。
【００３０】
外天板１４０ｂは、図３に最も良く示されるように、第１、第２外板１４１ｂ、１４２ｂと、継ぎ目部１４３ｂとを有している。第１外板１４１ｂは、第１外側板１１０ｂの上端に連接された金属板であって、第１外側板１１０ｂに対して略直角に折り曲げられている。第１外板１４１ｂは、Ｘ’方向側（内側）の端部１４１ｂ１を有している。第２外板１４２ａは、第２外側板１２０ｂの上端に連接された金属板であって、第２外側板１２０ｂに対して略直角に折り曲げられている。第２外板１４２ｂは、Ｘ方向側（内側）の端部１４２ｂ１を有している。第１、第２外板１４１ｂ、１４２ｂの端部１４１ｂ１、１４２ｂ１は、互いに相補形状をなしており且つ繋ぎ合わせている。この繋ぎ合わされた端部１４１ｂ１、１４２ｂ１が、図１Ａおよび図１Ｂに示すように、継ぎ目部１４３ｂとなっている。第１、第２外板１４１ｂ、１４２ｂは内天板１４０ａに当接し、内天板１４０ａの開口１４１ａを閉塞している。
【００３１】
外底板１３０ｂは、図１Ａ、図１Ｂおよび図２Ｂに示すように矩形状の金属板である。外底板１３０ｂは内底板１３０ａよりも下側で第１、第２外側板１１０ｂ、１２０ｂの下端に連接されている。すなわち、外底板１３０ｂが第１、第２外側板１１０ｂ、１２０ｂの下端を連結している。外底板１３０ｂは、内底板１３０ａ（第１、第２内板１３１ａ、１３２ａおよび継ぎ目部１３３ａ）の外面の略全領域に当接している。外底板１３０ｂは内底板１３０ａの開口１３４ａを閉塞している。
【００３２】
上述したシールドケース１００は、プレス成形機によって一枚の金属板がプレス成形されることによって次のように製造される。金属板がカットされ、図３に示すように、展開された第１、第２内側板１１０ａ、１２０ａ、内底板１３０ａ、内天板１４０ａ、折り返し板１００ｃ、第１、第２外側板１１０ｂ、１２０ｂ、外底板１３０ｂおよび外天板１４０ｂが作成される。このとき、第１内側板１１０ａに開口１１１ａおよび係合片１１２ａが形成される。第２内側板１２０ａに開口１２１ａおよび係合片１２２ａが形成される。内底板１３０ａに一対の開口１３４ａおよび係合片１３５ａが形成される。内天板１４０ａに一対の開口１４１ａおよび係合片１４２ａが形成される。
【００３３】
その後、第１、第２内側板１１０ａ、１２０ａが内天板１４０ａに対して略直角に折り曲げられる。これにより、第１、第２内側板１１０ａ、１２０ａの内面が対向する。内底板１３０ａの第１内板１３１ａが第１内側板１１０ａに対して略直角に折り曲げられると共に、内底板１３０ａの第２内板１３２ａが第２内側板１２０ａに対して略直角に折り曲げられる。このとき、第１内板１３１ａの端部１３１ａ１、１３２ａ１が繋ぎ合わされ、継ぎ目部１３３ａとなる。その後、折り返し板１００ｃがＸ方向およびＹ方向に折り返され、第１外側板１１０ｂが第１内側板１１０ａの外面に当接する。これにより、第１外側板１１０ｂが第１内側板１１０ａの開口１１１ａを閉塞する。その後、外底板１３０ｂが第１外側板１１０ｂに対して略直角に折り曲げられ、外底板１３０ｂが内底板１３０ａの第１、第２内板１３１ａ、１３２ａおよび継ぎ目部１３３ａに当接する。これにより、外底板１３０ｂが内底板１３０ａの開口１３４ａを閉塞する。第２外側板１２０ｂが外底板１３０ｂに対して略直角に折り曲げられ、第２外側板１２０ｂが第２内側板１２０ａの外面に当接する。これにより、第２外側板１２０ｂが第２内側板１２０ａの開口１２１ａを閉塞する。外天板１４０ｂの第１外板１４１ｂが第１外側板１１０ｂに対して略直角に折り曲げられると共に、外天板１４０ｂの第２外板１４２ｂが第２外側板１２０ｂに対して略直角に折り曲げられる。このとき、第１、第２外板１４１ｂ、１４２ｂの端部１４１ｂ１、１４２ｂ１が繋ぎ合わされ、継ぎ目部１４３ａとなる。内天板１４０ａが外天板１４０ｂの第１、第２外板１４１ｂ、１４２ｂおよび継ぎ目部１４３ａに当接する。外天板１４０ｂが内天板１４０ａの開口１４１ａを閉塞する。
【００３４】
以下、本発明の実施例１に係るコネクタについて図４Ａおよび図４Ｂを参照しつつ説明する。コネクタは、シールドケース１００と、ボディ２００と、複数の端子３００と、キャップ４００と、図示しないケーブルと、図示しないオーバーモールド部とを備えている。以下、コネクタのシールドケース１００以外の各構成要素について詳しく説明する。なお、図４Ｂにも、Ｘ−Ｘ’方向、Ｚ−Ｚ’方向およびＹ−Ｙ’方向が示されている。
【００３５】
ボディ２００は絶縁樹脂で構成されている。ボディ２００は、本体部２１０と、舌部２２０とを有している。本体部２１０は矩形状のブロックであって、シールドケース１００内に収容されている。本体部２１０は、前面（Ｙ方向側の面）と、後面（Ｙ’方向側の面）とを有している。舌部２２０は、本体部２１０の前面に設けられた矩形状の板であって、Ｙ方向に延びている。舌部２２０は、シールドケース１００内に中空配置されている。
【００３６】
端子３００は細長い金属板であって、ボディ２００内にＸ−Ｘ’方向に間隔をあけて保持されている。端子３００は、先端部（Ｙ方向側の端部）と、後端部（Ｙ’方向側の端部）とを有している。端子３００の先端部は、舌部２２０の下面から露出している。端子３００の後端部は、本体部２１０の後面からＹ’方向に突出している。
【００３７】
キャップ４００は絶縁樹脂製の板であって、本体部２１０の後面に当接している。キャップ４００を端子３００の後端部が貫通している。ケーブルは端子３００の後端部に接続されている。オーバーモールド部は、絶縁樹脂であって、シールドケース１００の外周およびケーブルの端子接続部を覆っている。
【００３８】
上記コネクタのシールドケース１００内に、相手方コネクタが挿入され、両者が接続される。このとき、相手方コネクタの端子が端子３００の露出した先端部に接触する。シールドケース１００の係合片１１２ａがＸ方向側から相手方コネクタに弾性的に当接し、シールドケース１００の係合片１２２ａがＸ’方向側から相手方コネクタに弾性的に当接し、シールドケース１００の係合片１３５ａがＺ’方向側から相手方コネクタに弾性的に当接し、シールドケース１００の係合片１４２ａがＺ方向側から相手方コネクタに弾性的に当接する。
【００３９】
上記シールドケース１００は以下の技術的特徴を有する。第１に、シールドケース１００の製造コストの低減を図ることができる。シールドケース１００の第１、第２内側板１１０ａ、１２０ａ、内底板１３０ａ、内天板１４０ａ、折り返し板１００ｃ、第１、第２外側板１１０ｂ、１２０ｂ、外底板１３０ｂおよび外天板１４０ｂが一枚の金属板をプレス成形することによって作成することができるからである。
【００４０】
第２に、シールドケース１００のこじり強度を向上させることができる。なぜなら、第１、第２外側板１１０ｂ、１２０ｂが第１、第２内側板１１０ａ、１２０ｂに当接し、外底板１３０ｂが内底板１３０ａに当接し、外天板１４０ｂが内天板１４０ａに当接し、各々が二重構造をなしているからである。特に、折り返し板１００ｃが第１内側板１１０ａと第１外側板１１０ｂに連接されている。第１、第２内側板１１０ａ、１２０ａの上端に内天板１４０ａが連接され、第１、第２内側板１１０ａ、１２０ａの下端に継ぎ目部１３３ａを有する内底板１３０ａが連接されている。一方、第１、第２外側板１１０ｂ、１２０ｂの上端に継ぎ目部１４３ｂを有する外天板１４０ｂが連接され、第１、第２外側板１１０ｂ、１２０ｂの下端に外底板１３０ｂが連接されている。このため、シールドケース１００が一枚の金属板で構成されている場合であっても、継ぎ目部１４３ｂを有する外天板１４０ｂに内天板１４０ａを当接させることができ、継ぎ目部１３３ａを有する内底板１３０ａに外底板１３０ｂを当接させることができる。よって、シールドケース１００は、継ぎ目部を有する二枚の板が当接するシールドケースに比べてこじり強度を向上させることができる。
【００４１】
第３に、折り返し板１００ｃの第１内側板１１０ａおよび第１外側板１１０ｂから突出する突出量Ｐ（図２Ａ参照）を低減することができる。その理由は以下の通りである。第１内側板の折り返し板の両側部分および第１外側板の折り返し板の両側部分にスリットが設けられていない場合、折り返し板の第１内側板側の曲げ始め部が当該第１内側板の後端よりも後方にしなければならず、且つ折り返し板の第１外側板側の曲げ始め部が当該第１外側板の後端よりも後方にしなければならない。このため、折り返し板の突出量が、第１内側板側の曲げ始め部から第１内側板後端までの距離と、第１外側板側の曲げ始め部から第１外側板の後端までの距離との和の分大きくなる。これに対して、シールドケース１００は、第１内側板１１０ａの折り返し板の両側部分にスリット１１３ａが、第１外側板１１０ｂの折り返し板の両側部分にスリット１１１ｂが設けられているので、折り返し板１００ｃの第１内側板１１０ａ側の曲げ始め部を当該第１内側板１１０ａの後端と同じにすることができ、且つ折り返し板１００ｃの第１外側板１１０ｂ側の曲げ始め部を当該第１外側板１１０ｂの後端よりも後方と同じにすることができる。よって、折り返し板１００ｃの突出量Ｐは、前記二つの距離の和の分、低減される。
【００４２】
第４に、相手方コネクタがシールドケース１００内に挿入された状態が安定する。第１内側板１１０ａの係合片１１２ａおよび第２内側板１２０ａの係合片１２２ａがＹ’方向に延びている一方、内底板１３０ａの係合片１３５ａおよび内天板１４０ａの係合片１４２ａがＹ方向に延びている。係合片１１２ａ、１２２ａによって相手方コネクタの先端側の部分が弾性的に保持され、係合片１３５ａ、１４２ａによって相手方コネクタの後端側の部分が弾性的に保持されるからである。
【００４３】
第５に、オーバーモールド部等の成形材がシールドケース１００内に流入するのを抑制することができる。なぜなら、第１、第２外側板１１０ｂ、１２０ｂが第１、第２内側板１１０ａ、１２０ａの開口１１１ａ、１２１ａを閉塞し、外底板１３０ｂが内底板１３０ａの開口１３４ａを閉塞し、外天板１４０ｂが内天板１４０ａの開口１４１ａを閉塞するからである。
【００４４】
なお、上述したシールドケースおよびコネクタは、上記実施例に限定されるものではなく、特許請求の範囲の記載範囲において任意に設計変更することが可能である。以下、詳しく述べる。
【００４５】
本発明のシールドケースの第１、第２内側板は間隔をあけて対向配置されている限り任意に設計変更することが可能である。例えば、第１、第２内側板は、フラットな形状、円弧状、略Ｃ字状又は略Ｖ字状（図５参照）とすることが可能である。第１、第２内側板の開口および係合片は省略可能である。なお、図５中の１１０ａ’は略Ｖ字状の第１内側板であり、１２０ａ’は略Ｖ字状の第２内側板である。これら以外のシールドケース１００’の構成要素は上記実施例のシールドケース１００と同じである。
【００４６】
本発明のシールドケースの第１外側板は第１内側板の外側に位置している限り任意に設計変更することが可能である。本発明のシールドケースの第２外側板は第２内側板の外側に位置している限り任意に設計変更することが可能である。例えば、第１、第２外側板は、フラットな形状、円弧状、略Ｃ字状又は略Ｖ字状とすることができる。上記実施例および上述した設計変形例の第１、第２外側板は、第１、第２内側板の外面に部分的に当接した構成（図５参照）、第１、第２内側板の外面に全面的に当接した構成又は第１、第２内側板の外側に当該第１、第２内側板と間隙を有して配置された構成とすることが可能である。
【００４７】
本発明の第１内側板のスリットおよび／又は第１外側板のスリットは省略可能である。すなわち、第１内側板のスリットおよび第１外側板のスリットの何れか一方のみが設けられた構成とすることが可能である。この場合でも、折り返し板の第１内側板側又は第１外側板側の曲げ始め部を当該第１内側板又は第１外側板側の前端又は後端と同じにすることができる。よって、折り返し板の突出量を低減することができる。なお、本発明の第１内側板のスリットは、第１内側板の前端部の折り返し板の両側部分又は後端部の折り返し板の両側部分に設けることが可能である。本発明の第１外側板のスリットは、第１外側板の前端部の折り返し板の両側部分又は後端部の折り返し板の両側部分に設けることが可能である。
【００４８】
本発明のシールドケースの折り返し板は、第１内側板の前端と第１外側板の前端とに連接又は前記第１内側板の後端と前記第１外側板の後端とに連接されており、且つ次のように折り返されている限り任意に設計変更することが可能である。本発明の折り返し部は、上記実施例および上記設計変形例の第１外側板が上記実施例および上記設計変形例の第１内側板の外面に部分的又は全面的に当接するように折り返された構成とすることが可能である。また、本発明の折り返し部は、上記実施例および上記設計変形例の第１外側板が上記実施例および上記設計変形例の第１内側板の外側に間隙を有して配置されるように折り返された構成とすることが可能である。
【００４９】
本発明のシールドケースの外天板は、第１外側板の上端に連接された第１外板、第２外側板の上端に連接された第２外板、および前記第１、第２外板が繋ぎ合わされた継ぎ目部を有する構成又は第１、第２外側板の上端に連接された（第１、第２外側板の上端を連結した）板である構成とすることが可能である。外天板が前者の構成である場合、本発明のシールドケースの内天板は、前記外天板よりも下側で第１、第２内側板の上端に連接された（第１、第２内側板の上端を連結した）板であって、少なくとも前記外天板の前記継ぎ目部に当接した構成とすることが可能である。外天板が後者の構成である場合、本発明のシールドケースの内天板は、第１内側板の上端に連接された第１内板、第２内側板の上端に連接された第２内板、および当該第１、第２内板が繋ぎ合わされた継ぎ目部を有する構成とすることが可能である。後者の外天板は、内天板の少なくとも継ぎ目部に当接する。なお、内天板の開口および係合片は省略可能である。
【００５０】
本発明のシールドケースの外底板は、後述する内底板よりも上側で第１、第２外側板の下端に連接された（第１、第２外側板の下端を連結した）板である構成又は第１外側板の下端に連接された第１外板、第２外側板の下端に連接された第２外板、および前記第１、第２外板が繋ぎ合わされた継ぎ目部を有する構成とすることが可能である。外底板が前者の構成である場合、本発明のシールドケースの内底板は、第１内側板の下端に連接された第１内板、第２内側板の下端に連接された第２内板、および当該第１、第２内板が繋ぎ合わされた継ぎ目部を有する構成とすることが可能である。前者の外底板は、内底板の少なくとも継ぎ目部に当接する。外底板が後者の構成である場合、本発明のシールドケースの内底板は、前記外底板よりも上側で第１、第２内側板の下端に連接された（第１、第２内側板の下端を連結した）板であって、少なくとも前記外底板の前記継ぎ目部に当接した構成とすることが可能である。なお、内底板の開口および係合片は省略可能である。
【００５１】
本発明のコネクタは、上記実施例および上述した設計変形例の何れかのシールドケースと、前記シールドケース内に収容された絶縁性を有するボディと、前記ボディに保持された端子とを備えている限り任意に設計変更することが可能である。上記キャップ、ケーブルおよびオーバーモールド部は省略可能である。本発明のコネクタの端子は、基板に接続することが可能である。本発明の端子が基板に接続され、基板にケーブルやピン等の外部接続部が接続された構成とすることが可能である。本発明のコネクタの端子の先端部は、ボディから突出したり、ボディに設けられた穴に内に配置されたりした構成とすることが可能である。本発明のコネクタの端子の後端部は、下方に垂下させることも可能である。
【００５２】
なお、上記実施例におけるシールドケースおよびコネクタの各構成要素を構成する素材、形状、寸法、数及び配置等はその一例を説明したものであって、同様の機能を実現し得る限り任意に設計変更することが可能である。上述した実施例及び設計変更例は、互いに矛盾しない限り、相互に組み合わせることが可能である。
【符号の説明】
【００５３】
１００・・・・・シールドケース
１００ａ・・・内筒
１１０ａ・・第１内側板
１１３ａ・スリット
１２０ａ・・第２内側板
１３０ａ・・内底板
１３１ａ・第１内板
１３２ａ・第２内板
１３３ａ・継ぎ目部
１４０ａ・・内天板
１００ｂ・・・外筒
１１０ｂ・・第１外側板
１１１ｂ・スリット
１２０ｂ・・第２外側板
１３０ｂ・・外底板
１４０ｂ・・外天板
１４１ｂ・第１外板
１４２ｂ・第２外板
１４３ｂ・継ぎ目部
１００ｃ・・・折り返し板
【図１Ａ】
2015088350.tif 000003
【図１Ｂ】
2015088350.tif 000004
【図２Ａ】
2015088350.tif 000005
【図２Ｂ】
2015088350.tif 000006
【図３】
2015088350.tif 000007
【図４Ａ】
2015088350.tif 000008
【図４Ｂ】
2015088350.tif 000009
【図５】
2015088350.tif 000010